【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
ネットワークに通信可能であるように結合された被モニタリング装置に関連する状態情報を抽出するために用いられるそれぞれの通信プロトコルに関連する複数のプロトコルオブジェクトを初期化する方法であって：
前記のそれぞれの通信プロトコルの中から通信プロトコルを選択する段階;
選択された通信プロトコルを用いて前記装置にアクセスするための情報を第１メモリから検索する段階；
前記装置に関連するベンダ情報を得るように試みるために前記第１メモリから検索された前記情報と前記の選択された通信プロトコルとを用いて前記装置にアクセスする段階；
前記ベンダ情報が前記装置から得られたかどうかを判定する段階；
前記ベンダ情報が前記装置から得られた場合、（１）前記のそれぞれの通信プロトコルの各々を用いて、前記状態情報を抽出するための支援情報を第２メモリから得、（２）複数のプロトコルオブジェクトの各々における前記のそれぞれの支援情報及び前記ベンダ情報を記憶する段階；並びに
前記ベンダ情報が前記装置から得られなかった場合、前記ベンダ情報が得られるまで又は前記のそれぞれの通信プロトコルの各々の通信プロトコルが選択されるまで、処理段階を繰り返す段階；
から構成されることを特徴とする方法。
【請求項２】
ネットワークに通信可能であるように結合された被モニタリング装置に関連する状態情報を抽出するために用いられるそれぞれの通信プロトコルに関連する複数のプロトコルオブジェクトを初期化するためのシステムであって：
前記のそれぞれの通信プロトコルの中から通信プロトコルを選択するための手段;
選択された通信プロトコルを用いて前記装置にアクセスするための情報を第１メモリから検索するための手段;
前記装置に関連するベンダ情報を得るように試みるために前記第１メモリから検索された前記情報と前記の選択された通信プロトコルとを用いて前記装置にアクセスするための手段；
前記ベンダ情報が前記装置から得られたかどうかを判定するための手段；
前記の判定するための手段が、前記ベンダ情報が前記装置から得られたことを判定する場合、前記のそれぞれの通信プロトコルの各々を用いて、前記状態情報を抽出するための支援情報を第２メモリから得るための手段；並びに
前記の判定するための手段が、前記ベンダ情報が前記装置から得られたことを判定する場合、複数のプロトコルオブジェクトの各々のプロトコルオブジェクトに前記のそれぞれの支援情報及び前記ベンダ情報を記憶するための手段；
から構成されることを特徴とするシステム。
【請求項３】
請求項２に記載のシステムであって：
前記装置に関連するモデル情報を得るように試みるために前記第１メモリから検索された前記情報と前記の選択された通信プロトコルとを用いて前記装置にアクセスするための手段；
から更に構成される、ことを特徴とするシステム。
【請求項４】
請求項２に記載のシステムであって、前記の選択するための手段は：
ＳＮＭＰ、ＨＴＴＰ及びＦＴＰの中から通信プロトコルを選択するための手段；
から構成される、ことを特徴とするシステム。
【請求項５】
請求項２に記載のシステムであって、前記の検索するための手段は：
前記装置のＩＰアドレスを検索するための手段；
から構成される、ことを特徴とするシステム。
【請求項６】
請求項２に記載のシステムであって、前記の選択するための手段はＦＴＰを選択する手順から構成され、前記の検索する段階は、ＦＴＰを用いて前記装置にアクセスするためにパスワードとユーザ名の少なくとも１つを検索するための手段から構成される、ことを特徴とするシステム。
【請求項７】
請求項２に記載のシステムであって、前記の選択するための手段はＳＮＭＰを選択する手順から構成され、前記の検索する段階は、ＳＮＭＰを用いて前記装置にアクセスするためにパスワードとコミュニティ名の少なくとも１つを検索するための手段から構成される、ことを特徴とするシステム。
【請求項８】
請求項２に記載のシステムであって、前記ベンダ情報を記憶するための手段は、各々のプロトコルオブジェクトに関連するプロトコル依存性データ構造に前記ベンダ情報を記憶するための手段から構成される、ことを特徴とするシステム。
【請求項９】
請求項２に記載のシステムであって、前記の検索するためおの手段は：
ＨＴＴＰを用いて前記装置にアクセスするためにウェブページアドレス、キーワード及び関連位置の少なくとも１つを検索するための手段；
から構成される、ことを特徴とするシステム。
【請求項１０】
請求項２に記載のシステムであって、前記のアクセスするための手段は：
前記の選択された通信プロトコルを用いて前記装置にアクセスするための前記情報を前記装置に送信するための手段；
から構成される、ことを特徴とするシステム。
【請求項１１】
請求項１０に記載のシステムであって、前記のアクセスするための手段は：
前記の送信された情報を前記装置により受信するための手段；及び
前記の受信された情報を前記装置により処理するための手段；
から構成される、ことを特徴とするシステム。
【請求項１２】
ネットワークに通信可能であるように結合された被モニタリング装置に関連する状態情報を抽出するために用いられるそれぞれの通信プロトコルに関連する複数のプロトコルオブジェクトを初期化するためのコンピュータプログラムであって、コンピュータに：
前記のそれぞれの通信プロトコルの中から通信プロトコルを選択する段階;
選択された通信プロトコルを用いて前記装置にアクセスするための情報を第１メモリから検索する段階;
前記装置に関連するベンダ情報を得るように試みるために前記第１メモリから検索された前記情報と前記の選択された通信プロトコルとを用いて前記装置にアクセスする段階；
前記ベンダ情報が前記装置から得られたかどうかを判定する段階；
前記ベンダ情報が前記装置から得られた場合、（１）前記のそれぞれの通信プロトコルの各々を用いて、前記状態情報を抽出するための支援情報を第２メモリから得る段階、及び（２）複数のプロトコルオブジェクトの各々における前記のそれぞれの支援情報及び前記ベンダ情報を記憶する段階；並びに
前記ベンダ情報が前記装置から得られなかった場合、前記ベンダ情報が得られるまで又は前記のそれぞれの通信プロトコルの各々の通信プロトコルが選択されるまで、処理段階を繰り返す段階；
を実行させることを特徴とするコンピュータプログラム。
【請求項１３】
ネットワークに通信可能であるように結合された被モニタリング装置からどのようなタイプの状態情報を抽出するべきかを決定するための方法であって：
前記装置から状態情報を抽出するために用いられる複数の通信プロトコルの中から通信プロトコルを選択する段階;
選択された通信プロトコルに関連するプロトコルオブジェクトを第１メモリから検索する段階であって、前記プロトコルオブジェクトは、少なくとも、状態情報のタイプと、状態情報の重みと、前記の選択された通信プロトコルを用いて前記装置から状態情報のタイプを抽出するための情報と、を含む、段階;
状態情報のタイプが第２メモリに存在するかどうかを判定する段階であって、前記第２メモリは前記装置から前に抽出された状態情報から構成される、段階；
前記の判定する段階が、前記の状態情報のタイプが前記第２メモリに存在することを判定する場合、前記プロトコルに記憶された前記状態情報の前記タイプが、前記第２メモリに記憶された同じタイプの前記状態情報に関連する、対応する重みより大きいかどうかをチェックする段階；
（１）前記の判定する段階が、前記の状態情報のタイプが前記第２メモリに存在しないことを判定する場合、又は（２）前記の判定する段階が、前記の状態情報のタイプが前記第２メモリに存在することを判定し、前記状態情報の前記重みが、前記第２メモリに記憶された同じタイプの状態情報に関連する、対応する重みより大きい場合、前記状態情報を得るために前記プロトコルオブジェクトに含まれる前記装置を抽出するための情報と前記の選択された通信プロトコルとを用いて、前記装置にアクセスする段階；
から構成されることを特徴とする方法。
【請求項１４】
ネットワークに通信可能であるように結合された被モニタリング装置からどのようなタイプの状態情報を抽出するべきかを決定するためのシステムであって：
前記装置から状態情報を抽出するために用いられる複数の通信プロトコルの中から通信プロトコルを選択するための手段;
選択された通信プロトコルに関連するプロトコルオブジェクトを第１メモリから検索するための手段であって、前記プロトコルオブジェクトは、少なくとも、状態情報のタイプと、状態情報の重みと、前記の選択された通信プロトコルを用いて前記装置から状態情報のタイプを抽出するための情報と、を含む、手段;
状態情報のタイプが第２メモリに存在するかどうかを判定するための手段であって、前記第２メモリは前記装置から前に抽出された状態情報から構成される、手段；
前記の判定するための手段が、前記の状態情報のタイプが前記第２メモリに存在することを判定する場合、前記プロトコルに記憶された前記状態情報の前記タイプが、前記第２メモリに記憶された同じタイプの前記状態情報に関連する、対応する重みより大きいかどうかをチェックするための手段；
（１）前記の判定するための手段が、前記の状態情報のタイプが前記第２メモリに存在しないことを判定する場合、又は（２）前記の判定するための手段が、前記の状態情報のタイプが前記第２メモリに存在することを判定し、前記状態情報の前記重みが、前記第２メモリに記憶された同じタイプの状態情報に関連する、対応する重みより大きい場合、前記状態情報を得るために前記プロトコルオブジェクトに含まれる前記装置を抽出するための情報と前記の選択された通信プロトコルとを用いて、前記装置にアクセスするための手段；
から構成されることを特徴とするシステム。
【請求項１５】
請求項１４に記載のシステムであって、前記の判定するための手段は：
前記の状態情報のタイプが前記第２メモリの状態情報マップに存在するかどうかを判定するための手段であって、前記状態情報マップは少なくとも１つのエントリを有し、各々のエントリは、状態情報タイプと、状態情報値と、状態情報重みと、を含む、手段；
から構成されることを特徴とするシステム。
【請求項１６】
請求項１４に記載のシステムであって、前記の選択するための手段は：
ＳＮＭＰ、ＨＴＴＰ及びＦＴＰの中から通信プロトコルを選択するための手段；
から構成される、ことを特徴とするシステム。
【請求項１７】
請求項１４に記載のシステムであって、前記状態情報の前記重みは、他の複数の通信プロトコルを用いて抽出された同じタイプの状態情報に関連する状態情報の相対的情報値を表す、ことを特徴とするシステム。
【請求項１８】
ネットワークに通信可能であるように結合された被モニタリング装置からどのようなタイプの状態情報を抽出するべきかを決定するためのコンピュータプログラムあって、コンピュータに：
前記装置から状態情報を抽出するために用いられる複数の通信プロトコルの中から通信プロトコルを選択する段階;
選択された通信プロトコルに関連するプロトコルオブジェクトを第１メモリから検索する段階であって、前記プロトコルオブジェクトは、少なくとも、状態情報のタイプと、状態情報の重みと、前記の選択された通信プロトコルを用いて前記装置から状態情報のタイプを抽出するための情報と、を含む、段階;
状態情報のタイプが第２メモリに存在するかどうかを判定する段階であって、前記第２メモリは前記装置から前に抽出された状態情報から構成される、段階；
前記の判定する段階が、前記の状態情報のタイプが前記第２メモリに存在することを判定する場合、前記プロトコルに記憶された前記状態情報の前記タイプが、前記第２メモリに記憶された同じタイプの前記状態情報に関連する、対応する重みより大きいかどうかをチェックする段階；
（１）前記の判定する段階が、前記の状態情報のタイプが前記第２メモリに存在しないことを判定する場合、又は（２）前記の判定する段階が、前記の状態情報のタイプが前記第２メモリに存在することを判定し、前記状態情報の前記重みが、前記第２メモリに記憶された同じタイプの状態情報に関連する、対応する重みより大きい場合、前記状態情報を得るために前記プロトコルオブジェクトに含まれる前記装置を抽出するための情報と前記の選択された通信プロトコルとを用いて、前記装置にアクセスする段階；
を実行させることを特徴とするコンピュータプログラム。
【請求項１９】
ネットワークに通信可能であるように結合された少なくとも１つの被モニタリング装置に関連する情報を管理する方法であって：
前記の少なくとも１つの被モニタリング装置から状態情報を抽出するために用いられる複数の通信プロトコルの中から通信プロトコルを選択する段階;
前記選択された通信プロトコルに関連するプロトコルオブジェクトを第１メモリから検索する段階であって、前記プロトコルオブジェクトは、少なくとも１つの被モニタリング装置のベンダ及びモデル情報を含む、段階;
前記の選択された通信プロトコルにより支援される前記の少なくとも１つの被モニタリング装置についての被モニタリング装置のベンダ名を前記プロトコルオブジェクトから得る段階；
前記の得られたベンダ名に対応するモデル名を前記プロトコルオブジェクトから得る段階；
前記の得られたベンダ名と前記の得られたモデル名とを用いて記述的ストリングを生成する段階；
前記記述的ストリングが第２メモリに存在するかどうかを判定する段階；並びに
前記の判定する段階が、前記記述的ストリングが前記第２メモリに存在することを判定する場合、前記プロトコルオブジェクトに関連する第２メモリに前記記述的ストリングを記憶する段階；
から構成されることを特徴とする方法。
【請求項２０】
ネットワークに通信可能であるように結合された被モニタリング装置から状態情報を抽出するために必要な情報を管理する方法であって：
前記被モニタリング装置から前記状態情報を抽出するために用いられる複数の通信プロトコルの中から通信プロトコルを選択する段階;
第１メモリから記述的ストリングを検索する段階であって、前記記述的ストリングは、前記の選択された通信プロトコルにより支援される、対応するモデル名とベンダ名とを含む、段階；
前記記述的ストリングから前記の対応するモデル名と前記ベンダ名とを抽出する段階；
前記の抽出されたベンダ名及び前記の抽出されたモデル名が前記被モニタリング装置のベンダ名及びモデル名それぞれに適合するかどうか判定する段階；
前記の判定する段階が、前記の抽出されたベンダ名及び前記の抽出されたモデル名が前記被モニタリング装置のベンダ名及びモデル名それぞれに適合することを判定する場合、前記の選択された通信プロトコルを用いて前記状態情報を得るために前記装置にアクセスする段階；
から構成されることを特徴とする方法。
【請求項２１】
ネットワークに通信可能であるように結合された少なくとも１つの被モニタリング装置に関連する情報を管理するシステムであって：
前記の少なくとも１つの被モニタリング装置から状態情報を抽出するために用いられる複数の通信プロトコルの中から通信プロトコルを選択するための手段;
前記選択された通信プロトコルに関連するプロトコルオブジェクトを第１メモリから検索するための手段であって、前記プロトコルオブジェクトは、少なくとも１つの被モニタリング装置のベンダ及びモデル情報を含む、手段;
前記の選択された通信プロトコルにより支援される前記の少なくとも１つの被モニタリング装置についての被モニタリング装置のベンダ名を前記プロトコルオブジェクトから得るための手段；
前記の得られたベンダ名に対応するモデル名を前記プロトコルオブジェクトから得るための手段；
前記の得られたベンダ名と前記の得られたモデル名とを用いて記述的ストリングを生成するための手段；
前記記述的ストリングが第２メモリに存在するかどうかを判定するための手段；並びに
前記の判定するための手段が、前記記述的ストリングが前記第２メモリに存在することを判定するとき、前記プロトコルオブジェクトに関連する第２メモリに前記記述的ストリングを記憶するための手段；
から構成されることを特徴とするシステム。
【請求項２２】
請求項２１に記載のシステムであって、前記の生成するための手段は：
前記ベンダ名と、前記の対応するモデル名と、セパレータストリングとを用いて前記記述的ストリングを生成するための手段；
から構成される、ことを特徴とするシステム。
【請求項２３】
請求項２１に記載のシステムであって、前記の記憶するための手段は：
前記第２メモリのベンダ−モデル支援マップに前記記述的ストリングを記憶するための手段であって、前記ベンダ−モデル支援マップは少なくとも１つのエントリを有し、各々のエントリは前記記述的ストリングとベンダ−モデル値とを含む、手段；
から構成される、ことを特徴とするシステム。
【請求項２４】
請求項２１に記載のシステムであって、前記の選択するための手段は：
ＳＮＭＰ、ＨＴＴＰ及びＦＴＰの中から通信プロトコルを選択するための手段；
から構成される、ことを特徴とするシステム。
【請求項２５】
ネットワークに通信可能であるように結合された被モニタリング装置から状態情報を抽出するために必要な情報を管理するシステムであって：
前記被モニタリング装置から前記状態情報を抽出するために用いられる複数の通信プロトコルの中から通信プロトコルを選択するための手段;
第１メモリから記述的ストリングを検索するための手段であって、前記記述的ストリングは、前記の選択された通信プロトコルにより支援される、対応するモデル名とベンダ名とを含む、手段；
前記記述的ストリングから前記の対応するモデル名と前記ベンダ名とを抽出するための手段；
前記の抽出されたベンダ名及び前記の抽出されたモデル名が前記被モニタリング装置のベンダ名及びモデル名それぞれに適合するかどうか判定するための手段；
前記の判定するための手段が、前記の抽出されたベンダ名及び前記の抽出されたモデル名が前記被モニタリング装置のベンダ名及びモデル名それぞれに適合することを判定するとき、前記の選択された通信プロトコルを用いて前記状態情報を得るために前記装置にアクセスするための手段；
から構成されることを特徴とするシステム。
【請求項２６】
請求項２５に記載のシステムであって、前記の検索するための手段は：
前記ベンダ名と、前記の対応するモデル名と、セパレータストリングとから構成される前記記述的ストリングを検索するための手段であって、前記セパレータストリングは前記ベンダ名と前記の対応するモデル名との間に位置付けられる、手段；
から構成される、ことを特徴とするシステム。
【請求項２７】
請求項２５に記載のシステムであって、前記の検索するための手段は：
前記第１メモリからベンダ−モデルマップを検索するための手段であって、前記ベンダ−モデルマップは少なくとも１つの記述的ストリングから構成される、手段；及び
前記ベンダ−モデルマップから前記記述的ストリングを得るための手段；
から構成される、ことを特徴とするシステム。
【請求項２８】
請求項２５に記載のシステムであって、前記の選択するための手段は：
ＳＮＭＰ、ＨＴＴＰ及びＦＴＰの中から通信プロトコルを選択するための手段；
から構成される、ことを特徴とするシステム。
【請求項２９】
ネットワークに通信可能であるように結合された少なくとも１つの被モニタリング装置に関連する情報を管理するためのコンピュータプログラムであって、コンピュータに：
前記の少なくとも１つの被モニタリング装置から状態情報を抽出するために用いられる複数の通信プロトコルの中から通信プロトコルを選択する段階;
前記選択された通信プロトコルに関連するプロトコルオブジェクトを第１メモリから検索する段階であって、前記プロトコルオブジェクトは、少なくとも１つの被モニタリング装置のベンダ及びモデル情報を含む、段階;
前記の選択された通信プロトコルにより支援される前記の少なくとも１つの被モニタリング装置についての被モニタリング装置のベンダ名を前記プロトコルオブジェクトから得る段階；
前記の得られたベンダ名に対応するモデル名を前記プロトコルオブジェクトから得る段階；
前記の得られたベンダ名と前記の得られたモデル名とを用いて記述的ストリングを生成する段階；
前記記述的ストリングが第２メモリに存在するかどうかを判定する段階；並びに
前記の判定する段階が、前記記述的ストリングが前記第２メモリに存在することを判定するとき、前記プロトコルオブジェクトに関連する第２メモリに前記記述的ストリングを記憶する段階；
を実行させることを特徴とするコンピュータプログラム。
【請求項３０】
ネットワークに通信可能であるように結合された被モニタリング装置から状態情報を抽出するために必要な情報を管理するためのコンピュータプログラムであって、コンピュータに：
前記被モニタリング装置から前記状態情報を抽出するために用いられる複数の通信プロトコルの中から通信プロトコルを選択する段階;
第１メモリから記述的ストリングを検索する段階であって、前記記述的ストリングは、前記の選択された通信プロトコルにより支援される、対応するモデル名とベンダ名とを含む、段階；
前記記述的ストリングから前記の対応するモデル名と前記ベンダ名とを抽出する段階；
前記の抽出されたベンダ名及び前記の抽出されたモデル名が前記被モニタリング装置のベンダ名及びモデル名それぞれに適合するかどうか判定する段階；
前記の判定する段階が、前記の抽出されたベンダ名及び前記の抽出されたモデル名が前記被モニタリング装置のベンダ名及びモデル名それぞれに適合することを判定するとき、前記の選択された通信プロトコルを用いて前記状態情報を得るために前記装置にアクセスする段階；
を実行させることを特徴とするコンピュータプログラム。
【請求項３１】
ネットワーク装置に関連する状態情報を抽出するために通信プロトコルを用いることができることを判定するため方法であって：
複数の通信プロトコルの中から通信プロトコルを選択する段階;
選択された通信プロトコルを用いて前記ネットワーク装置にアクセスするための情報を、前記ネットワーク装置に関連する装置オブジェクトから得る段階;
前記装置オブジェクトから得られた前記ネットワーク装置にアクセスするための前記情報と前記の選択された通信プロトコルとを用いてネットワーク装置にアクセスすることができるかどうかを判定する段階；
前記の判定する段階が、前記の選択された通信プロトコルを用いて前記ネットワーク装置にアクセスすることができないことを判定する場合、前記の選択された通信プロトコルを用いて前記ネットワーク装置にアクセスするための前記情報を前記装置オブジェクトから取り除く段階；
前記の判定する段階が、前記の選択された通信プロトコルを用いて前記ネットワーク装置にアクセスすることができることを判定する場合、前記ネットワーク装置から状態情報を抽出するために前記の選択された通信プロトコルと用いることができるかどうか判定するために更なるテストを実行する段階；
から構成されることを特徴とする方法。
【請求項３２】
ネットワーク装置に関連する状態情報を抽出するために通信プロトコルを用いることができることを判定するためシステムであって：
複数の通信プロトコルの中から通信プロトコルを選択するための手段;
選択された通信プロトコルを用いて前記ネットワーク装置にアクセスするための情報を、前記ネットワーク装置に関連する装置オブジェクトから得るための手段;
前記装置オブジェクトから得られた前記ネットワーク装置にアクセスするための前記情報と前記の選択された通信プロトコルとを用いてネットワーク装置にアクセスすることができるかどうかを判定するための手段；
前記の判定するための手段が、前記の選択された通信プロトコルを用いて前記ネットワーク装置にアクセスすることができないことを判定するとき、前記の選択された通信プロトコルを用いて前記ネットワーク装置にアクセスするための前記情報を前記装置オブジェクトから取り除くための手段；
前記の判定するための手段が、前記の選択された通信プロトコルを用いて前記ネットワーク装置にアクセスすることができることを判定するとき、前記ネットワーク装置から状態情報を抽出するために前記の選択された通信プロトコルと用いることができるかどうか判定するために更なるテストを実行するための手段；
から構成されることを特徴とするシステム。
【請求項３３】
請求項３２に記載のシステムであって、前記の更なるテストを実行するための手段は：
前記の選択された通信プロトコルを用いて前記ネットワーク装置から前記ネットワーク装置のベンダを得ることができるかどうか判定するための手段；
前記の判定するための手段が、前記の選択された通信プロトコルを用いて前記ベンダを得ることができないことを判定するとき、前記の選択された通信プロトコルが一般ベンダを支援するかどうかチェックし、前記の選択された通信プロトコルが前記一般ベンダを支援しないとき、前記の選択された通信プロトコルを用いて前記ネットワーク装置にアクセスするための前記情報を前記装置オブジェクトから取り除くための手段；
前記の判定するための手段が、前記の選択された通信プロトコルを用いて前記ベンダを得ることができることを判定するとき、前記ネットワーク装置からベンダを得て、前記の得られたベンダが前記の選択された通信プロトコルにより支援されるかどうかを判定するための手段;
前記の得られたベンダが前記の選択された通信プロトコルにより支援されるとき、前記の選択された通信プロトコルが前記一般ベンダを支援するかどうかをチェックし、前記の選択された通信プロトコルが前記一般ベンダを支援していないとき、前記の選択された通信プロトコルを用いて前記ネットワーク装置にアクセスするための前記情報を前記装置オブジェクトから取り除くための手段；
前記の得られたベンダが前記の選択された通信プロトコルにより支援されているとき、モデル情報に関連する更なるテストを実行するための手段；
から構成される、ことを特徴とするシステム。
【請求項３４】
請求項３３に記載のシステムであって、モデル情報に関連する前記の更なるテストを実行するための手段は：
前記の選択された通信プロトコルを用いて前記ネットワーク装置から前記ネットワーク装置のモデルを得ることができるかどうか判定するための手段；
前記の判定するための手段が、前記の選択された通信プロトコルを用いて前記モデルを得ることができないことを判定するとき、前記の選択された通信プロトコルが一般モデルを支援するかどうかチェックし、前記の選択された通信プロトコルが前記一般モデルを支援しないとき、前記の選択された通信プロトコルを用いて前記ネットワーク装置にアクセスするための前記情報を前記装置オブジェクトから取り除くための手段；
前記の判定するための手段が、前記の選択された通信プロトコルを用いて前記モデルを得ることができることを判定するとき、前記ネットワーク装置からモデルを得て、前記の得られたモデルが前記の選択された通信プロトコルにより支援されるかどうかを判定するための手段;
前記の得られたモデルが前記の選択された通信プロトコルにより支援されるとき、前記の選択された通信プロトコルが前記一般モデルを支援するかどうかをチェックし、前記の選択された通信プロトコルが前記一般モデルを支援していないとき、前記の選択された通信プロトコルを用いて前記ネットワーク装置にアクセスするための前記情報を前記装置オブジェクトから取り除くための手段；
から構成される、ことを特徴とするシステム。
【請求項３５】
請求項３２に記載のシステムであって、前記の得るための手段は：
少なくとも１つのエントリから構成されるプロトコルパラメータマップを前記装置オブジェクトから得るための手段であって、各々のエントリは、プロトコルストリングと、該プロトコルストリングにおいて示されるプロトコルを用いて前記ネットワーク装置にアクセスするために用いられる情報の対応ベクトルと、から構成される、手段；
から構成される、ことを特徴とするシステム。
【請求項３６】
請求項３２に記載のシステムであって、前記ネットワーク装置にアクセスすることができるかどうかを判定するための手段は：
前記の選択された通信プロトコルを用いて前記ネットワーク装置にアクセスするための前記情報を前記ネットワーク装置に送信するための手段；
送信された情報を前記ネットワーク装置により受信するための手段；及び
前記ネットワーク装置が、前記の選択された通信プロトコルを用いて前記ネットワーク装置にアクセスすることができることを示す受信された情報に応答するかどうか判定するための手段；
から構成される、ことを特徴とするシステム。
【請求項３７】
請求項３２に記載のシステムであって、前記の選択するための手段は：
ＳＮＭＰ、ＨＴＴＰ及びＦＴＰの中から通信プロトコルを選択するための手段；
から構成される、ことを特徴とするシステム。
【請求項３８】
請求項３２に記載のシステムであって、前記の更なるテストを実行するための手段は：
前記の選択された通信プロトコルがＳＮＭＰであるかどうかをチェックするための手段；
から構成されるシステムであり、
前記のチェックするための手段が、前記の選択された通信プロトコルがＳＮＭＰであることを判定する場合、前記ネットワーク装置から前記状態情報を抽出するために前記の選択された通信プロトコルを用いることができる；
ことを特徴とするシステム。
【請求項３９】
ネットワーク装置に関連する状態情報を抽出するために通信プロトコルを用いることができることを判定するためのコンピュータプログラムであって、コンピュータに：
複数の通信プロトコルの中から通信プロトコルを選択する段階;
選択された通信プロトコルを用いて前記ネットワーク装置にアクセスするための情報を、前記ネットワーク装置に関連する装置オブジェクトから得る段階;
前記装置オブジェクトから得られた前記ネットワーク装置にアクセスするための前記情報と前記の選択された通信プロトコルとを用いてネットワーク装置にアクセスすることができるかどうかを判定する段階；
前記の判定する段階が、前記の選択された通信プロトコルを用いて前記ネットワーク装置にアクセスすることができないことを判定するとき、前記の選択された通信プロトコルを用いて前記ネットワーク装置にアクセスするための前記情報を前記装置オブジェクトから取り除く段階；
前記の判定する段階が、前記の選択された通信プロトコルを用いて前記ネットワーク装置にアクセスすることができることを判定するとき、前記ネットワーク装置から状態情報を抽出するために前記の選択された通信プロトコルと用いることができるかどうか判定するために更なるテストを実行する段階；
を実行させることを特徴とするコンピュータプログラム。